(57)【要約】【課題】縦と横のコストダウン管理を有効に支援する。【解決手段】単価履歴データベース、会計データベース等から定期的に拠点別部品リストを自動的に作成し、コストダウン予実績管理データベースに登録する手段と、管理部門クライアントから依頼目標値を受け付け、コストダウン予実績管理データベースに設定する手段と、管理部門クライアントから目標値を受け付け、コストダウン予実績管理データベースに設定する手段と、単価履歴データベースおよび会計データベースから定期的に実績データを作成し、コストダウン予実績管理データベースに登録する実績登録手段と、拠点クライアントからコストダウンの見込を受け付け、コストダウン予実績管理データベースに設定する手段と、コストダウン予実績管理データベースからデータを読み出し、管理部門クライアントおよび拠点クライアントに出力する手段とを備える。【選択図】図１
2009251805.tif 000002
【特許請求の範囲】
【請求項１】
支払の単価を履歴として管理する単価履歴データベース、当月の支払金額を管理する会計データベース、支払予定の金額を管理する所要計画データベースならびに製品、当該製品の構成部品および当該部品の取扱拠点を管理する製品／部品情報データベースから定期的に拠点別部品リストを自動的に作成し、コストダウン予実績管理データベースに登録する拠点別部品リスト作成手段と、
管理部門クライアントから機種／品目に対するコストダウンの依頼目標値を受け付け、前記コストダウン予実績管理データベースに設定する機種・品目別依頼目標設定手段と、
前記管理部門クライアントから機種／品目および施策に対するコストダウンの目標値を受け付け、前記コストダウン予実績管理データベースに設定する目標登録手段と、
前記単価履歴データベースおよび会計データベースから定期的に実績データを作成し、前記コストダウン予実績管理データベースに登録する実績登録手段と、
拠点クライアントからコストダウンの見込を受け付け、前記コストダウン予実績管理データベースに設定する見込登録手段と、
前記コストダウン予実績管理データベースからデータを読み出し、用途別に集計を行って前記管理部門クライアントおよび拠点クライアントに出力する集計手段と
を備えたことを特徴とするコストダウン管理支援システム。
【請求項２】
支払の単価を履歴として管理する単価履歴データベース、当月の支払金額を管理する会計データベース、支払予定の金額を管理する所要計画データベースならびに製品、当該製品の構成部品および当該部品の取扱拠点を管理する製品／部品情報データベースから定期的に拠点別部品リストを自動的に作成し、コストダウン予実績管理データベースに登録する拠点別部品リスト作成工程と、
管理部門クライアントから機種／品目に対するコストダウンの依頼目標値を受け付け、前記コストダウン予実績管理データベースに設定する機種・品目別依頼目標設定工程と、
前記管理部門クライアントから機種／品目および施策に対するコストダウンの目標値を受け付け、前記コストダウン予実績管理データベースに設定する目標登録工程と、
前記単価履歴データベースおよび会計データベースから定期的に実績データを作成し、前記コストダウン予実績管理データベースに登録する実績登録工程と、
拠点クライアントからコストダウンの見込を受け付け、前記コストダウン予実績管理データベースに設定する見込登録工程と、
前記コストダウン予実績管理データベースからデータを読み出し、用途別に集計を行って前記管理部門クライアントおよび拠点クライアントに出力する集計工程と
を備えたことを特徴とするコストダウン管理支援方法。
【請求項３】
サーバ装置を構成するコンピュータを、
支払の単価を履歴として管理する単価履歴データベース、当月の支払金額を管理する会計データベース、支払予定の金額を管理する所要計画データベースならびに製品、当該製品の構成部品および当該部品の取扱拠点を管理する製品／部品情報データベースから定期的に拠点別部品リストを自動的に作成し、コストダウン予実績管理データベースに登録する拠点別部品リスト作成手段、
管理部門クライアントから機種／品目に対するコストダウンの依頼目標値を受け付け、前記コストダウン予実績管理データベースに設定する機種・品目別依頼目標設定手段、
前記管理部門クライアントから機種／品目および施策に対するコストダウンの目標値を受け付け、前記コストダウン予実績管理データベースに設定する目標登録手段、
前記単価履歴データベースおよび会計データベースから定期的に実績データを作成し、前記コストダウン予実績管理データベースに登録する実績登録手段、
拠点クライアントからコストダウンの見込を受け付け、前記コストダウン予実績管理データベースに設定する見込登録手段、
前記コストダウン予実績管理データベースからデータを読み出し、用途別に集計を行って前記管理部門クライアントおよび拠点クライアントに出力する集計手段
として機能させるコストダウン管理支援プログラム。
【発明の詳細な説明】
【技術分野】
【０００１】
本発明は、製造業の企業等におけるコストダウン管理を支援するコストダウン管理支援システムに関する。
【背景技術】
【０００２】
製造業におけるコストダウン管理としては、一般に、機種・ユニット等を基準にした縦のコストダウン管理と、品種（品目）・仕入先等を基準にした横のコストダウン管理とがある。縦のコストダウン管理が機種・ユニット等を基準にしているのは、経営的な視点から見てわかりやすいからである。横のコストダウン管理が品種・仕入先等を基準にしているのは、コストダウンのための施策が品種や仕入先等と密接に関係しているからである。
【０００３】
縦のコストダウン管理は、経営層に近い管理部門が先導して行う管理であり、管理対象となる機種やユニットを構成する個々の部品についてコストダウン依頼目標値を設定し、製造部門にコストダウンの計画（予定）を作成させ、実績および計画との差異を報告させることで、コストダウン管理の推進状況を把握するものである。横のコストダウン管理は、製造部門において品種や仕入先を特定して種々の施策（原価改善、調達価格改善等）を実際に行い、コストダウンを図るものである。
【０００４】
従来における縦のコストダウン管理の流れは、より詳しくは次のようになる。
（１）管理部門では、管理対象となる機種やユニットを構成する個々の部品につき、その部品を購入している製造部門側の拠点毎にばらしてデータ（例：ＭＳ−ＥＸＣＥＬによるデータファイル）を作成し、各部品に対してコストダウン依頼目標値を設定し、各拠点に配布する。
（２）各拠点の担当者は、コストダウン依頼目標値に沿って部品毎に目標値を入力する（目標登録）。
（３）各拠点の担当者は、例えば２ヶ月に１回、部品毎に実績値と将来の見込値を入力し（実績・見込の登録）、管理部門に送付する。
【０００５】
一方、特許文献１には、容易かつ迅速に価格情報を提供することができる価格情報提供システムが開示されている。
【特許文献１】特開２００１−２２９１９３号公報
【発明の開示】
【発明が解決しようとする課題】
【０００６】
上述したように、従来は管理部門側で管理対象となる機種やユニットを構成する個々の部品につき、その部品を購入している拠点毎にばらしてデータを作成しなければならず、作業が繁雑であるという問題があった。また、各拠点においても、部品毎に目標値を入力し、定期的に部品毎に実績値と将来の見込値を入力しなければならず、作業が繁雑であるとともに、入力ミスが起こることで手戻りが発生するという問題があった。更に、このような煩雑な作業を行わなければならないことから、２ヶ月に１回程度の集計が限界であり、タイムリーに進捗が把握できないという問題があった。
【０００７】
また、設計変更による部品の原価向上は設計部門の責任範囲であり、コストダウン管理の対象とすべきでないが、実績値に含められてしまう場合がしばしばあり、集計結果の精度を落とすという問題があった。
【０００８】
更に、製造部門側では機種・ユニット等ではなく、品種や仕入先等を基準とした管理を行っているため、縦のコストダウン管理の集計結果を見ても、どの施策の効果が出ていてどの施策の効果が出ていないのかが把握できず、集計結果が有効に活用されないという問題があった。
【０００９】
また、部品単位に実績値を入力していたため、代替部品によるコストダウンは集計から漏れてしまうことになり、コストダウン活動が適正に評価されないという問題があった。
【００１０】
一方、特許文献１では、上述したような縦と横のコストダウン管理の特殊性を考慮しておらず、上記の問題を解決できるものではない。
【００１１】
本発明は上記の従来の問題点に鑑み提案されたものであり、その目的とするところは、機種・ユニット等を基準にした縦のコストダウン管理と品種・仕入先等を基準にした横のコストダウン管理とを有効に支援することのできるコストダウン管理支援システムを提供することにある。
【課題を解決するための手段】
【００１２】
上記の課題を解決するため、本発明にあっては、請求項１に記載されるように、支払の単価を履歴として管理する単価履歴データベース、当月の支払金額を管理する会計データベース、支払予定の金額を管理する所要計画データベースならびに製品、当該製品の構成部品および当該部品の取扱拠点を管理する製品／部品情報データベースから定期的に拠点別部品リストを自動的に作成し、コストダウン予実績管理データベースに登録する拠点別部品リスト作成手段と、管理部門クライアントから機種／品目に対するコストダウンの依頼目標値を受け付け、前記コストダウン予実績管理データベースに設定する機種・品目別依頼目標設定手段と、前記管理部門クライアントから機種／品目および施策に対するコストダウンの目標値を受け付け、前記コストダウン予実績管理データベースに設定する目標登録手段と、前記単価履歴データベースおよび会計データベースから定期的に実績データを作成し、前記コストダウン予実績管理データベースに登録する実績登録手段と、拠点クライアントからコストダウンの見込を受け付け、前記コストダウン予実績管理データベースに設定する見込登録手段と、前記コストダウン予実績管理データベースからデータを読み出し、用途別に集計を行って前記管理部門クライアントおよび拠点クライアントに出力する集計手段とを備えるコストダウン管理支援システムを要旨としている。
【００１３】
また、請求項２に記載されるように、支払の単価を履歴として管理する単価履歴データベース、当月の支払金額を管理する会計データベース、支払予定の金額を管理する所要計画データベースならびに製品、当該製品の構成部品および当該部品の取扱拠点を管理する製品／部品情報データベースから定期的に拠点別部品リストを自動的に作成し、コストダウン予実績管理データベースに登録する拠点別部品リスト作成工程と、管理部門クライアントから機種／品目に対するコストダウンの依頼目標値を受け付け、前記コストダウン予実績管理データベースに設定する機種・品目別依頼目標設定工程と、前記管理部門クライアントから機種／品目および施策に対するコストダウンの目標値を受け付け、前記コストダウン予実績管理データベースに設定する目標登録工程と、前記単価履歴データベースおよび会計データベースから定期的に実績データを作成し、前記コストダウン予実績管理データベースに登録する実績登録工程と、拠点クライアントからコストダウンの見込を受け付け、前記コストダウン予実績管理データベースに設定する見込登録工程と、前記コストダウン予実績管理データベースからデータを読み出し、用途別に集計を行って前記管理部門クライアントおよび拠点クライアントに出力する集計工程とを備えるコストダウン管理支援方法として構成することができる。
【００１４】
また、請求項３に記載されるように、サーバ装置を構成するコンピュータを、支払の単価を履歴として管理する単価履歴データベース、当月の支払金額を管理する会計データベース、支払予定の金額を管理する所要計画データベースならびに製品、当該製品の構成部品および当該部品の取扱拠点を管理する製品／部品情報データベースから定期的に拠点別部品リストを自動的に作成し、コストダウン予実績管理データベースに登録する拠点別部品リスト作成手段、管理部門クライアントから機種／品目に対するコストダウンの依頼目標値を受け付け、前記コストダウン予実績管理データベースに設定する機種・品目別依頼目標設定手段、前記管理部門クライアントから機種／品目および施策に対するコストダウンの目標値を受け付け、前記コストダウン予実績管理データベースに設定する目標登録手段、前記単価履歴データベースおよび会計データベースから定期的に実績データを作成し、前記コストダウン予実績管理データベースに登録する実績登録手段、拠点クライアントからコストダウンの見込を受け付け、前記コストダウン予実績管理データベースに設定する見込登録手段、前記コストダウン予実績管理データベースからデータを読み出し、用途別に集計を行って前記管理部門クライアントおよび拠点クライアントに出力する集計手段として機能させるコストダウン管理支援プログラムとして構成することができる。
【発明の効果】
【００１５】
本発明のコストダウン管理支援システムにあっては、機種・ユニット等を基準にした縦のコストダウン管理と品種・仕入先等を基準にした横のコストダウン管理とを有効に支援することができ、コストダウン活動を効果的に行うことができる。
【発明を実施するための最良の形態】
【００１６】
以下、本発明の好適な実施形態につき説明する。
【００１７】
＜構成＞
図１は本発明の一実施形態にかかるコストダウン管理支援システムの構成例を示す図である。
【００１８】
図１において、コストダウン予実績管理部２は、単価履歴データベース１１、会計データベース１２、所要計画データベース１３および製品／部品情報データベース１４から処理に必要な情報を入力する。また、コストダウン予実績管理部２には管理部門クライアント３および拠点クライアント４１、４２、・・からアクセスが行われ、所定の情報の入出力が行われる。
【００１９】
単価履歴データベース１１は、支払の単価を履歴として管理するデータベースである。会計データベース１２は、当月の支払金額を管理するデータベースである。所要計画データベース１３は、支払予定の金額を管理するデータベースである。製品／部品情報データベース１４は、製品と、その製品を構成する部品と、その部品を取り扱う拠点とを管理するデータベースである。
【００２０】
コストダウン予実績管理部２は、拠点別部品リスト作成部２１と、機種・品目別依頼目標設定部２２と、目標登録部２３と、実績登録部２４と、見込登録部２５と、集計部２６と、コストダウン予実績管理データベース２７とを備えている。拠点別部品リスト作成部２１、機種・品目別依頼目標設定部２２、目標登録部２３、実績登録部２４、見込登録部２５および集計部２６は、サーバ装置等のコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。コストダウン予実績管理データベース２７は、サーバ装置等に設けられたＨＤＤ（Hard Disk Drive）等の記憶媒体上にデータを体系的に保持するものである。
【００２１】
また、拠点別部品リスト作成部２１、機種・品目別依頼目標設定部２２、目標登録部２３、実績登録部２４、見込登録部２５、集計部２６およびコストダウン予実績管理データベース２７は、単一のコンピュータ上に配置される必要はなく、必要に応じて分散される形態であってもよい。
【００２２】
拠点別部品リスト作成部２１は、単価履歴データベース１１、会計データベース１２、所要計画データベース１３および製品／部品情報データベース１４から定期的（例：月単位）に拠点別部品リストを自動的に作成し、コストダウン予実績管理データベース２７に登録する機能を有している。より詳しい動作は後述する。
【００２３】
機種・品目別依頼目標設定部２２は、管理部門クライアント３から機種／品目に対するコストダウンの依頼目標値を受け付け、コストダウン予実績管理データベース２７に設定する機能を有している。より詳しい動作は後述する。
【００２４】
目標登録部２３は、拠点クライアント４（４１、４２、・・）から機種／品目および施策に対するコストダウンの目標値を受け付け、コストダウン予実績管理データベース２７に設定する機能を有している。より詳しい動作は後述する。
【００２５】
実績登録部２４は、単価履歴データベース１１および会計データベース１２から定期的（例：日単位）に実績データを作成し、コストダウン予実績管理データベース２７に登録する機能を有している。より詳しい動作は後述する。
【００２６】
見込登録部２５は、拠点クライアント４（４１、４２、・・）からコストダウンの見込を受け付け、コストダウン予実績管理データベース２７に設定する機能を有している。より詳しい動作は後述する。
【００２７】
集計部２６は、コストダウン予実績管理データベース２７からデータを読み出し、用途別に集計を行って管理部門クライアント３、拠点クライアント４（４１、４２、・・）に出力する機能を有している。より詳しい動作は後述する。
【００２８】
コストダウン予実績管理データベース２７は、コストダウンの予実績を管理するデータベースである。
【００２９】
＜動作＞
図２は拠点別部品リスト作成部２１による拠点別部品リスト作成の例を示す図である。
【００３０】
単価履歴データベース１１は、部品を特定する「部番」フィールドと、部品の版数であるサフィックスを示す「ＳＦＸ」フィールドと、仕入先を特定する「仕入先」フィールドと、当該単価を適用する日を示す「適用日」フィールドと、単価の額を示す「単価」フィールドと、価格変動の要因（単価変動要因コード）を示す「要因コード」フィールドとを含んでいる。
【００３１】
会計データベース１２は、部品を特定する「部番」フィールドと、部品の版数であるサフィックスを示す「ＳＦＸ」フィールドと、仕入先を特定する「仕入先」フィールドと、発注日もしくは検収日（非下請の場合）を示す「発注日／検収日」フィールドと、単価の額を示す「単価」フィールドと、部品の購入個数を示す「数量」フィールドとを含んでいる。
【００３２】
製品／部品情報データベース１４は、製品の機種もしくは品目を示す「機種／品目」フィールドと、当該機種もしくは品目に含まれる部品の部番を示す「部番」フィールドと、当該部品を取り扱う拠点を示す「拠点」フィールドとを含んでいる。
【００３３】
拠点別部品リスト作成部２１は、製品／部品情報データベース１４の機種／品目と拠点に着目し、対応する部番を取得し、単価履歴データベース１１および会計データベース１２からその部番に該当するレコードを取得し、会計データベース１２の各レコードに仕入先毎に単価履歴データベース１１の各レコードを適用して拠点別部品リストを作成し、コストダウン予実績管理データベース２７に登録する。図示の例では同じ部番および仕入先につき適用日の異なる単価履歴が存在するため、会計データベース１２のレコード数（２）に単価履歴データベース１１のレコード数（３）をかけた数（２×３＝６）のレコードが作成されている。
【００３４】
また、所要計画データベース１３には、会計データベース１２と同様のレコードが、支払予定情報として格納されている。そして、拠点別部品リスト作成部２１は単価履歴データベース１１と所要計画データベース１３から、実績の場合と同様に支払予定の拠点別部品リストを作成し、コストダウン予実績管理データベース２７に登録する。
【００３５】
図３は単価変動要因コードの分類の例を示す図であり、トップの階層は「分類・方策（コストダウンの方策）」を示し、その下に「大分類」「中分類」「小分類」が設けられている。そして、小分類の各項目に対し、単価変動要因コードが割り当てられている。
【００３６】
トップ階層の「分類・方策」には、「図面を変える」「造り方を変える（社内技術）」「買い方を変える」「査定しなおす」「造り方を変える（仕入先独自）」等の方策が定められている。「図面を変える」「造り方を変える（社内技術）」「買い方を変える」は、大分類の「原価改善型コストダウン」にまとめられ、「査定しなおす」「造り方を変える（仕入先独自）」は大分類の「折衝型コストダウン」にまとめられている。なお、大分類「設計変更」はトップ階層の「分類・方策」に対応するものはない。設計変更による部品の原価向上は設計部門の責任範囲であり、コストダウン管理の対象とすべきでないため、設計変更による価格変動を分離するために用いられる。
【００３７】
図４は為替レートへの対応の例を示す図であり、拠点別部品リスト作成部２１は単価履歴データベース１１の単価を処理する際、通貨を判断し、日本円でない場合には標準レートデータベース １５から当該通貨に対応する円換算値を取得し、日本円を基準に拠点別部品リストを作成する。
【００３８】
図５は機種・品目別依頼目標設定部２２による依頼目標設定の例を示す図である。機種・品目別依頼目標設定部２２は、管理部門の担当者が操作する管理部門クライアント３から、例えば「機種／品目：xxxxxxxx」に対して「３．０％」の依頼目標値を受け付け、コストダウン予実績管理データベース２７に登録する。
【００３９】
図６は目標登録部２３による目標登録の例を示す図である。目標登録部２３は、各拠点の担当者が操作する拠点クライアント４（４１、４２、・・）から例えば「機種／品目：xxxxxxxx」および「施策：*****」に対して「３．０％」の目標値を受け付け、コストダウン予実績管理データベース２７に登録する。
【００４０】
図７は実績登録部２４および見込登録部２５による実績・見込登録の例を示す図である。実績登録部２４は、単価履歴データベース１１および会計データベース１２から定期的（例：日単位）に実績データを作成し、コストダウン予実績管理データベース２７に登録する。処理内容は図２に示した拠点別部品リスト作成部２１と同様になる。
【００４１】
また、見込登録部２５は、各拠点の担当者が操作する拠点クライアント４（４１、４２、・・）から例えば「部番：A0000002、ＳＦＸ：なし、仕入先：12345」に対し、「予定日：08/03/01、単価：90、要因コード：44444」の価格変動の見込を受け付け、コストダウン予実績管理データベース２７に登録する。
【００４２】
図８は集計部２６による集計結果出力の例を示す図である。集計部２６は、「機種別集計」「資材＃１報告用」「資材＃２報告用」等に応じて集計すべき単価変動要因コードが予め設定されたテーブルに従い、コストダウン予実績管理データベース２７から該当するデータを読み出し、コストダウン進捗状況の集計を行って管理部門クライアント３、拠点クライアント４１、４２、・・に出力する。この際、管理部門向けには機種・ユニット等に分けた集計とし、拠点向けには単価変動要因コードに基づいてコストダウンの施策に分けた集計を行うことで、両者の管理実態に合わせたわかりやすい内容とする。また、単価変動要因コードに基づき、設計変更による価格変動はコストダウンに含めないようにする。
【００４３】
＜総括＞
以上説明したように、本実施形態によれば、次のような利点がある。
（１）手作業でのデータ作成作業が大幅に減り、必要最小限のデータ入力で済むため、作業工数が減り、入力ミスも減る。また、短期間で集計作業を行うことができる。
（２）単価変動要因コードに基づいて設計変更による価格変動はコストダウンに含めないようにするため、集計結果の精度を高めることができる。
（３）管理部門向けには機種・ユニット等に分けた集計が行えるため、機種・ユニット等を基準にした縦のコストダウン管理に適合させることができる。
（４）拠点向けには単価変動要因コードに基づいてコストダウンの施策に分けた集計を行えるため、品種・仕入先等を基準にした横のコストダウン管理に適合させることができる。
（５）拠点側では機種／品目および施策に対してコストダウンの目標値を設定するため、部品代替によるコストダウンであっても、コストダウンの成果が正当に評価される。
【００４４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４５】
【図１】本発明の一実施形態にかかるコストダウン管理支援システムの構成例を示す図である。
【図２】拠点別部品リスト作成の例を示す図である。
【図３】単価変動要因コードの分類の例を示す図である。
【図４】為替レートへの対応の例を示す図である。
【図５】依頼目標設定の例を示す図である。
【図６】目標登録の例を示す図である。
【図７】実績・見込登録の例を示す図である。
【図８】集計結果出力の例を示す図である。
【符号の説明】
【００４６】
１１                単価履歴データベース
１２                会計データベース
１３                所要計画データベース
１４                製品／部品情報データベース
１５                標準レートデータベース 
２                  コストダウン予実績管理部
２１                拠点別部品リスト作成部
２２                機種・品目別依頼目標設定部
２３                目標登録部
２４                実績登録部
２５                見込登録部
２６                集計部
２７                コストダウン予実績管理データベース
３                  管理部門クライアント
４、４１、４２      拠点クライアント
【図１】
2009251805.tif 000003
【図２】
2009251805.tif 000004
【図３】
2009251805.tif 000005
【図４】
2009251805.tif 000006
【図５】
2009251805.tif 000007
【図６】
2009251805.tif 000008
【図７】
2009251805.tif 000009
【図８】
2009251805.tif 000010